(57)【特許請求の範囲】
【請求項１】
連続的に横向きに搬送される扁平になった管状セグメントに、引き起こす底部のための予備的折り目線として、折り目線を形成する方法であって、被加工物に折り目線を形成する折り目溝線が、折り目溝線形成具によって押圧形成される方法において、
折り目線は、折り目溝付けセクタ（１２）を使用して、扁平になった管状セグメントに後で形成すべき底部中央折り目の端の領域においてのみ折り目溝線（１５）によってのみ印されるようになっており、
更なる折り目線が、三角形の折り目線を形成する折り目溝線（２３）によって印されるようになっていて、
前記折り目線は、連続的に横向きに搬送される扁平な被加工物に折り目線を付けるための装置を用いて形成されるようになっており、
前記装置は、一対の折り目溝付けローラー（１１）と、一対の対向ローラー（１８）とを備え、前記折り目溝付けローラー（１１）および前記対向ローラー（１８）の各々は、中心面に関して鏡像的に配置されており、
扁平になった管状セグメント（１４）に後に成形される底部中心折り目の端部の領域に短い折り目溝線（１５）を押圧形成するために、前記折り目溝付けローラー（１１）の各々には、短い円弧形のナイフ状の刃（１３）を有する折り目溝付けセクタ（１２）が、一方の端面に備えられ、
前記折り目溝付けローラー（１１）の各々は、螺旋状の筋道を有する溝（１６）を有し、前記溝（１６）は、前記折り目溝付けローラー（１１）の円筒状外被側面に入れられ、
前記溝（１６）には、圧入されたワイヤ（１７）が保持され、前記ワイヤ（１７）は、前記折り目溝付けローラー（１１）の円筒状外被側面から、その半径より小さな量だけ出ている、
ことを特徴とする方法。
【請求項２】
袋の製造において引き起こす底部のための折り目線を扁平になった管状セグメントに形成するために、連続的に横向きに搬送される扁平な被加工物に折り目線を付けるための装置であって、
前記装置は、円筒状外被側面上で回転する刃状の凸条を備え、前記刃状の凸条は、回転する当接体に支持された被加工物に、折り目溝を押圧形成する装置において、
前記装置は、一対の折り目溝付けローラー（１１）と、一対の対向ローラー（１８）とを備え、前記折り目溝付けローラー（１１）および前記対向ローラー（１８）の各々は、中心面に関して鏡像的に配置されており、
扁平になった管状セグメント（１４）に後に成形される底部中心折り目の端部の領域に短い折り目溝線（１５）を押圧形成するために、前記折り目溝付けローラー（１１）の各々には、短い円弧形のナイフ状の刃（１３）を有する折り目溝付けセクタ（１２）が、一方の端面に備えられ、
前記折り目溝付けローラー（１１）の各々は、螺旋状の筋道を有する溝（１６）を有し、前記溝（１６）は、前記折り目溝付けローラー（１１）の円筒状外被側面に入れられ、
前記溝（１６）には、圧入されたワイヤ（１７）が保持され、前記ワイヤ（１７）は、前記折り目溝付けローラー（１１）の円筒状外被側面から、その半径より小さな量だけ出ている、
ことを特徴とする装置。
【発明の詳細な説明】
【０００１】
【発明の属する技術分野】
本発明は、連続的に搬送される偏平な被加工物、特に、扁平になった管状セグメントに、引き起こす底部のための予備折れ目線として、折り目線を形成する方法に関するものであり、この方法においては、折り目線を形成する折り目溝が、折り目溝付け装置によって被加工物に押圧形成される。
【０００２】
【従来の技術】
特許文献、ＤＥ−ＰＳ  １２  ９９  ５１４号から、横向きに搬送される管状セグメントからなるバッグ又はザックを製造するための交差底部形成機における底部の主折り目形成用の折り目溝付け装置が本技術分野で知られており、この装置は、折り目付け溝が備わった対向ホイール協働するナイフ状の刃を有する回転折り目付溝けホイールからなる折り目溝付け工具から構成されている。この種の折り目付け装置によって、図７〜図９に見られる紙又はプラスチックフィルムからなる管状セグメント１の底部中心折目２が、折り目溝付けされる。ここで、図７は、扁平になった管状セグメントの平面図を示し、図８は、図７の線VII-VII に沿う管状セグメントの断面図を示し、図９は、図８に対応する管状セグメントの断面図を示しているが、管状セグメントは、水平に互いに重なり合った側壁に対して垂直に引き起こされた底部を有している。図８から明らかなように、ＤＥ−ＰＳ１２  ９９  ５１４号から公知の種類の折り目溝付け装置によって、底部中心折り目２が、二つの互いに嵌合しあった溝状の状折り目溝ができる態様で、予め折り目溝付けされる。次いで、底部が通常の態様で引き起こされると、底部の部分３、４は互いに逆の方向に折り曲げられ、ここで、底部の上半分３は、予備折れ目線に対応する折れ目の形態をとるので、折り目溝２において折り曲げられる。しかし、底部の下半分の折り曲げにおいては問題が生じる。それは、この折り曲げは、図８から明らかな態様で、折り目溝２と反対方向に行われるので、いわば補強溝ができ、これが折り目溝内に折り目が生じるのを妨げるため、折り目は、折り目溝２の近くに生じるからである。
【０００３】
ＤＥ- ＧＭ１９６４０６９号から公知の折り目溝付け装置においては、互いに密着して配置された二つの溝付けナイフが備えられ、これらの溝付けナイフは、ほぼ相補的な二つの溝を備えた溝付けホイールと協働し、これらの溝の間には、ナイフ状の凸条（Ｓｔｅｇ）がある。そのため、折り目線を付する管状セグメントには、二本の互いに平行な溝からなる折り目溝線が押圧形成され、それらの折り目溝線の間には、反対向きの溝ができる。この種の折り目溝線の付いた管状セグメントが底部において引き起こされると、折り目が、その折り目に正しく対応する湾曲部を有する溝に沿って生じる。この折り目溝付け装置によって入れられた折り目線における折り目付けは、適当な側に押圧形成された折り目線に沿って行われるので、反対向きに引上げられる底部の両半分の折り目の対応する変位（オフセット）が発生する。
【０００４】
【発明が解決しようとする課題】
本発明の目的は、冒頭に述べた種類の方法において、互いに重なりあった壁を有する扁平な被加工物、例えば扁平になった管状セグメントに、両方の壁に互いに対応する折り目付けをすることができるように折り目線を付することができる方法を提供することである。
【０００５】
【課題を解決するための手段】
本発明によれば、この課題は、冒頭に述べた種類の方法において、折り目線が、それらの端の領域においてのみ折り目溝線によって印されれることにより解決される。驚くべきことに、二重層の被加工物又は管状セグメントの壁においても、折り目線をその端の領域のみに印すことにより、折り目溝線からなる溝が折り目の反対になる位置の合った折り目付けができることが分かった。また、位置外れの予備折り目付けによっても折り目線が印されるので、折り目溝線の間に位置の合った折り目を形成することができる。管状セグメントの底部中心折り目の予備折り目溝線付けにおいて、このことは、管状セグメントの底部の引き起こしの後に折り目と反対向の出発折り目溝が付される側も、位置の正しい底部中心折り目を得ることを意味する。
【０００６】
折り目を形成するために連続的に搬送される扁平な被加工物に折り目線を付けるため、特に、袋の製造において引き起こす底部のための折り目線を扁平になった管状セグメントに形成するための装置であって、円筒状外被側面上で回転する刃状の凸条（Ｓｔｅｇ）を備え、刃状の凸条は、回転する当接体（コントラスト）に支持された被加工物に、折り目溝を押圧形成する装置が、本発明によって、当接体は、弾性ゴム外被を有するローラーからなることを特徴としている。
本発明による装置は、対向ローラーの弾性ゴム外被の弾性に基づいて、被加工物に、比較的浅い折り目溝線のみを押圧形成し、これらの浅い折り目溝線は、驚くべきことに、これらの折り目溝線に沿う良好な折り目を保証する。また、溝が折り目付けによって生じた湾曲と反対に向けられている折り目溝線も、位置の正しい折り目線の形成を可能にするものである。したがって、本発明による装置は、袋の製造において、角の折り返し、即ち、三角形のポケットのための折り目線を形成するため、管状セグメントに斜めの溝を生じさせるのに特に適している。
【０００７】
合目的的に、刃状の凸条は、折り目溝付けローラーの溝に保持されたワイヤからなっている。この本発明による構成において、刃状の凸条は、簡単な態様で、折り目溝付けローラーに嵌入させることができる。ワイヤからなる刃状の凸条によって、折る加工物の緩やかな予備折り目又は折り目溝のみが形成され、これが、位置の正確な折り目付けを可能にしている。
冒頭で説明した方法を実施するための装置において、刃状の凸条は、合目的的に、少なくとも一つの折り目溝付けセクタからっている。この折り目溝付けセクタは、折り目溝線の端部領域に所望の出発折り目溝を生じさせる位置及び長さを有している。
本発明による方法にしたがい、本発明による装置を用いて、底部中央折り目と、三角形のポケットのための斜めの溝とを予備折り目溝付けすると、それらの折り目溝線と折り目線が非常に正確に一致した引き起こされた底部が生じる。そのため、袋の製造において、高い精度で底部方形を形成することができる。それにより、底部の外寸を、より正確に守ることができるので、不正確さを補償する底部の両半分の重ね合わせを減少させることができ、材料や紙を節約することができる。
【０００８】
【発明の実施の形態】
本発明の実施例を、以下に図面を参照してより詳細に説明する。
図１〜図３から明らかなように、折り目溝付けローラー１１には、短い円弧形のナイフ状の刃１３を有する折り目溝付けセクタ１２のみが、一方の端面に備わっており、この刃は、図４に見られる紙製の扁平になった管状セグメント１４において、後に形成される底部中心折り目の端部の領域に短い折り目溝線１５を押圧形成する。折り目溝付けセクタ１３の一方の側から始まって、折り目溝付けローラー１１の側面部には、図６に見られるようなほぼ螺旋状の筋道を有する溝１６が入っており、この溝には、圧入されたワイヤ１７が保持されている。このワイヤ１７は、折り目溝付けローラー１１の円筒状の側面から、その半径より小さな量だけ出ている。
【０００９】
折り目溝付けローラー１１は、弾性材料、例えばゴム又は弾性プラスチックからなる外被１９で被覆された対向ローラー１８と、図３、図５及び図６から明らかな態様で、協働する。外被として、例えば、約８０ショアの硬度を有するＶｕｌｃｕｌａｎを使用することができる。
折り目溝を生じさせるワイヤ、及び、丸くなった刃１３が備わった折り目溝付けセクタ１２の、弾性外被１９への食いみの深さは、通過する袋被加工物１４が、浅く押圧形成された折り目溝線のみを付され、これらの折り目溝線は、一方で、反対に向けられた折り目付けに対して望ましくない高い抵抗を与えることなしに、折り目溝線に沿う、又は、端部に位置する折り目溝線の間の引上げられる底部のきれいな折り目付けを保証するような、図６から明らかな態様で選択される。それらの折り目溝線は、折り目付けと反対に向いた折り目溝線としてのそれらの形態で、底部の引き起こしの際に折り目線を形成し、それにより、折り目線は、折り目溝線の非常に正確に引き寄せられる。
【００１０】
図５には、袋被加工物１４の、折り目溝付けローラー１１と対向ローラー１８とを備えた折り目溝付け装置の通過、及び、袋被加工物１４の、下流に配置された底部引き上げステーションへの入来が、模式的に見られる。底部引き上げステーションにおいて、袋被加工物は、間に狭い通過間隙が形成されている協働する保持プレート２１、２２を通過する。それらの保持プレートから、袋被加工物の端部のみが突出しており、それらの端部は、通常の引き上げ具によって、いわゆる底部方形（ベースパネル）となるまで引き上げられる。底部方形にするための袋被加工物の端部の引き上げにおいて、底部中心折目を形成するための出発折り目溝１５、１６の間の折り目と、三角形のポケット部の斜めの折り目を形成するための折り目溝線２３に沿う折り目が生じる。図５には、通過する管状セグメント14の左端の底部方形の形成のための折り目溝付け装置と保持装置のみが見られるだけである。中心面に関して鏡像的に、やはり、同じ工具が、図３から明らかな態様で配置されている。
【図面の簡単な説明】
【図１】折り目線付けローラーの側面図である。
【図２】図１の折り目線付けローラーの部分断面平面図である。
【図３】袋の製造において管状セグメントに、底部の中心折り目及び三角ポケットのための折り目線を付ける二組の折り目線付けローラーと対向ローラーの図である。
【図４】図３の折り目線付けローラーと対向ローラーでによって折り目溝線を付与された管状セグメントを示す図である。
【図５】対向ローラーと協働する折り目溝付けローラーと、下流の底部引き起こしステーションにおける通過する管状セグメントの保持装置の斜視図を模式的に示す図である。
【図６】折り目溝付けローラーとこれに当接する対向ローラーの、折り目溝付けセクタと斜めの折り目溝を生じさせるワイヤの領域における断面図である。
【図７】既に説明した公知の袋の製造における管状セグメントの予備折り目溝付けを示す図である。
【図８】既に説明した公知の袋の製造における管状セグメントの予備折り目溝付けを示す図である。
【図９】既に説明した公知の袋の製造における管状セグメントの予備折り目溝付けを示す図である。
【符号の説明】
１１…折り目溝付けローラー
１２…セクタ
１４…管状セグメント
１５…折り目溝線
１７…ワイヤ
１８…対向ローラー
１９…外被
【図１】
0004707202.tif 000002
【図２】
0004707202.tif 000003
【図３】
0004707202.tif 000004
【図４】
0004707202.tif 000005
【図５】
0004707202.tif 000006
【図６】
0004707202.tif 000007
【図７】
0004707202.tif 000008
【図８】
0004707202.tif 000009
【図９】
0004707202.tif 000010